(57)【要約】【課題】絵画変換された写真のプリント媒体から、ユーザーが簡単にその元となった写真を見ることができるようにすること。【解決手段】プリント媒体１０にプリントされた絵画調画像データ３２と一緒にプリントされたマーカー２２を端末１−１のカメラで読み取ることにより、マーカー２２が示すサーバーのＵＲＬアドレスの場所にリンクし、その場所に記憶されているオリジナル画像データ２１をダウンロードして表示部３１に表示する。【選択図】      図２Ａ
2013073461.tif 000002
【特許請求の範囲】
【請求項１】
端末とネットワークを介して接続可能なサーバーを有し、画画像をプリントさせ、表示させる画像処理方式であって、
前記サーバーは、
端末からアップロードされたオリジナル画像データを所定の場所に記憶する第１の記憶手段と、
前記第１の記憶手段に記憶されたオリジナル画像データを絵画調の画調を有する絵画調画像データに変換する画調変換手段と、
前記画調変換手段により変換された絵画調画像データを所定の場所に記憶する第２の記憶手段と、
前記絵画調画像データを、前記オリジナル画像データの記憶された場所を示すマーカーとともにプリント媒体にプリントさせるプリント制御手段と、
を含み、
前記端末は、
前記オリジナル画像データを前記サーバーにアップロードするアップロード手段と、
前記プリント媒体にプリントされたマーカーを読み取り、該マーカーが示す場所に記憶されているオリジナル画像データをダウンロードして表示部に表示させる表示制御手段と、
を含むことを特徴とする画像処理方式。
【請求項２】
前記サーバーの画調変換手段は複数種類の絵画調の画調を有する絵画調画像データに変換するものであり、
前記端末の表示制御手段は、前記サーバーの画調変換手段により前記オリジナル画像データから変換された複数種類の絵画調の画像をダウンロードして表示部に一覧表示させることを特徴とする請求項１記載の画像処理方式。
【請求項３】
前記マーカーは二次元バーコードで構成されることを特徴とする請求項１記載の画像処理方式。
【請求項４】
オリジナル画像データを所定の場所に記憶する第１の記憶手段と、
前記第１の記憶手段に記憶されたオリジナル画像データを絵画調の画調からなる絵画調画像データに変換する画調変換手段と、
前記画調変換手段により変換された絵画調画像データを所定の場所に記憶する第２の記憶手段と、
前記絵画調画像データを前記オリジナル画像データの記憶された場所を示すマーカーとともにプリント媒体にプリントさせるプリント制御手段と、
を有することを特徴とする画像処理装置。
【請求項５】
絵画調の画調を有する絵画調画像データをプリントする方法であって、
オリジナル画像データを、ネットワークを介して接続可能な端末から受信する工程と、
受信したオリジナル画像データを所定の場所に記憶するとともに絵画調の画調を有する絵画調画像データに変換する工程と、
変換された絵画調画像データを所定の場所に記憶する工程と、
絵画調の画調の種類を指定する情報を前記端末から受信する工程と、
前記絵画調画像データを、前記指定されたオリジナル画像データを記憶している場所を示すマーカーとともにプリント媒体にプリントさせる工程と、
を含むことを特徴とするプリント方法。
【請求項６】
請求項５記載のプリント方法によりプリントされたことを特徴とするプリント媒体。
【請求項７】
コンピュータにより読み取り実行可能なプログラムであって、前記コンピュータに、
オリジナル画像データを所定の場所に記憶するとともに絵画調の画調を有する絵画調画像データに変換するステップと、
前記変換された絵画調画像データを所定の場所に記憶するステップと、
前記オリジナル画像データが記憶された場所を示すマーカーを作成するステップと、
前記絵画調画像データを、前記作成されたマーカーとともにプリント媒体にプリントさせるステップと、
を実行させることを特徴とするプログラム。
【請求項８】
端末とネットワークを介して接続可能なサーバーを含む画像処理システムであって、
前記サーバーは、
端末からアップロードされたオリジナル画像データを所定の場所に記憶する第１の記憶手段と、
前記第１の記憶手段に記憶されたオリジナル画像データを複数種類の絵画調の画調を有する絵画調画像データに変換する画調変換手段と、
前記画調変換手段により変換された絵画調画像データを所定の場所に記憶する第２の記憶手段と、
前記絵画調画像データを、前記オリジナル画像データの記憶された場所を示すマーカーとともにプリント媒体にプリントさせるプリント制御手段と、
端末に操作メニューを表示させるための制御データを送信する送信制御手段と、
前記端末に表示された操作メニューの該端末の操作により、該端末から送信されてくる操作信号を受信し、該操作信号に応じた制御を行う操作制御手段と、
前記端末からのアクセスを受けて該端末とサーバーのリンクを制御するサーバー側リンク制御手段と、
を備え、
前記端末は、
前記オリジナル画像データを前記サーバーにアップロードするアップロード手段と、
前記プリント媒体にプリントされたマーカーを読み取り、前記サーバーにアクセスし該マーカーが示す場所に記憶されているオリジナル画像データをダウンロードして表示部に表示させる表示制御手段と、
前記マーカーを読み取り前記サーバーにアクセスすることにより該端末とサーバーのリンクを制御する端末側リンク制御手段と、
を備えるとともに、
前記表示制御手段は、前記サーバーから送信される制御データ及び前記サーバー側リンク制御手段及び端末側リンク制御手段の制御に従って表示部に操作メニューを表示させるメニュー表示制御手段と、
前記操作メニューが操作されたとき操作信号を前記サーバーに送信する送信手段と、
を有することを特徴とする画像処理システム。
【請求項９】
表示部を備えた画像処理装置であって、
プリント媒体にプリントされたマーカーを読み取り、ネットワークを介してサーバーの該マーカーが示す場所にアクセスしてオリジナル画像データをダウンロードして前記表示部に表示させる表示制御手段と、
前記マーカーを読み取り前記サーバーにアクセスすることにより該端末とサーバーのリンクを制御するリンク制御手段と、
前記表示部に、前記サーバーから送信される制御データ及び前記リンク制御手段の制御に従って前記オリジナル画像データを複数種類の絵画調の画調を有する絵画調画像データに変換させるための操作メニューを表示させるメニュー表示制御手段と、
前記操作メニューが操作されたとき操作信号を前記サーバーに送信する送信手段と、
前記操作信号に応じて前記サーバーから絵画調画像データを受信して前記表示部に表示させる絵画調画像データ表示制御手段と、
を有することを特徴とする画像処理装置。
【発明の詳細な説明】
【技術分野】
【０００１】
本発明は、写真を絵画調の画像に変換する技術に関し、特にインターネットで絵画調の画像を注文してプリントする画像処理方式、画像処理装置、画像処理システム、プリント方法、プリント媒体並びにプログラムに関する。
【背景技術】
【０００２】
デジタルカメラで撮影したデジタル画像データからなる写真を、インターネットを介してプリント業者に注文し、印画紙等のプリント媒体にプリントされた写真を郵送で受け取るプリントサービスが普及している。
【０００３】
また、デジタル画像データは様々な画像処理ができることから、撮影した写真を絵画調の画調からなる絵画調画像データに変換する絵画変換技術がある（例えば、特許文献１参照）。
【０００４】
このような絵画変換技術を使用して、ユーザーがアップロードした写真を絵画調画像データに変換するウエブサイトも存在している。
【０００５】
このような絵画変換技術を使用すれば、薄暗い曇り空の写真を明るいパステル調の画像に変換したり、人物のポートレートをイラスト調の画像に変換したりすることができ、写真の新しい楽しみ方を広げることができる。絵画変換された絵画調画像データは、元の写真（オリジナル画像データ）とまったくイメージが変わることから、自分で楽しむだけでなく、プリントして人にプレゼントしたくなる場合が多い。
【０００６】
このようにして絵画変換された絵画調画像データのプリントをプレゼントされた人は、元の写真はどんなものだったかを知りたくなることがある。またプレゼントされた人だけでなく絵画変換した本人あるいは撮影した本人でも、絵画変換した写真と元の写真とを自分自身で対応付けて管理していないと、元の写真がわからなくなるという課題があった。
【０００７】
これに対し画像変更が行われた画像を変更前の元の画像データに復元することができる技術は知られている（例えば、特許文献２参照）。
【０００８】
この特許文献２記載の発明は、デジタル式カラー複写機等のカラーバランス変更あるいは色変換などの色変更機能を持つ画像処理装置において、従来は画像変更機能を用いた原稿の複写を行った画像から元の原稿に戻すことは不可能であったので、原稿を紛失した場合等に元の原稿の画像を復元することはできないという課題を解決するものである。
原稿の複写時に、画像の所定位置に画像変更データを２次元バーコード等にコード化してコードとして記録できるようにし、そのコードが付された画像を再複写する時に、画像変更コードデータを読み取り、画像変更時になされた画像変更の内容から元の原稿の画像を復元できるようにしている。
【０００９】
しかしながら、特許文献２記載の技術では、変更された画像と二次元バーコードを一緒にプリントして、この二次元バーコードを読み取ることによって元の画像に復元するが、二次元バーコードには画像変更コードとして変更条件が記録されていて、その変更条件を基に元の画像へ逆変更する処理を行っているため、同じ装置内でしか実行できないという課題があった。
【先行技術文献】
【特許文献】
【００１０】
【特許文献１】特開２０１１−１６６２１７号公報
【特許文献２】特開平８−２５１５９４号公報
【発明の概要】
【発明が解決しようとする課題】
【００１１】
本発明は上記事情に鑑みてなされたもので、絵画変換された絵画調画像データから、ユーザーが簡単にその元の写真を見ることができるようにすることを目的とする。
【課題を解決するための手段】
【００１２】
本発明は、上記目的を達成するため、端末とネットワークを介して接続可能なサーバーを有し、画像をプリントさせ、表示させる画像処理方式であって、前記サーバーは、端末からアップロードされたオリジナル画像データを所定の場所に記憶する第１の記憶手段と、前記第１の記憶手段に記憶されたオリジナル画像データを絵画調の画調を有する絵画調画像データに変換する画調変換手段と、前記画調変換手段により変換された絵画調画像データを所定の場所に記憶する第２の記憶手段と、前記絵画調画像データを、前記オリジナル画像データの記憶された場所を示すマーカーとともにプリント媒体にプリントさせるプリント制御手段と、を含み、前記端末は、前記オリジナル画像データを前記サーバーにアップロードするアップロード手段と、前記プリント媒体にプリントされたマーカーを読み取り、該マーカーが示す場所に記憶されているオリジナル画像データをダウンロードして表示部に表示させる表示制御手段と、を含むことを特徴とする画像処理方式を提供するものである。
【００１３】
また本発明は、端末とネットワークを介して接続可能なサーバーを含む画像処理システムであって、前記サーバーは、端末からアップロードされたオリジナル画像データを所定の場所に記憶する第１の記憶手段と、前記第１の記憶手段に記憶されたオリジナル画像データを複数種類の絵画調の画調を有する絵画調画像データに変換する画調変換手段と、前記画調変換手段により変換された絵画調画像データを所定の場所に記憶する第２の記憶手段と、前記絵画調画像データを、前記オリジナル画像データの記憶された場所を示すマーカーとともにプリント媒体にプリントさせるプリント制御手段と、端末に操作メニューを表示させるための制御データを送信する送信制御手段と、前記端末に表示された操作メニューの該端末の操作により、該端末から送信されてくる操作信号を受信し、該操作信号に応じた制御を行う操作制御手段と、前記端末からのアクセスを受けて該端末とサーバーのリンクを制御するサーバー側リンク制御手段と、を備え、前記端末は、前記オリジナル画像データを前記サーバーにアップロードするアップロード手段と、前記プリント媒体にプリントされたマーカーを読み取り、前記サーバーにアクセスし該マーカーが示す場所に記憶されているオリジナル画像データをダウンロードして表示部に表示させる表示制御手段と、前記マーカーを読み取り前記サーバーにアクセスすることにより該端末とサーバーのリンクを制御する端末側リンク制御手段と、を備えるとともに、前記表示制御手段は、前記サーバーから送信される制御データ及び前記サーバー側リンク制御手段及び端末側リンク制御手段の制御に従って表示部に操作メニューを表示させるメニュー表示制御手段と、前記操作メニューが操作されたとき操作信号を前記サーバーに送信する送信手段と、を有することを特徴とする画像処理システムを提供するものである。
【発明の効果】
【００１４】
本発明によれば、絵画調の画調を有する絵画調画像データに絵画変換された写真のプリントから、ユーザーが簡単にその元となった写真を見ることができる効果を奏する。
【図面の簡単な説明】
【００１５】
【図１】本発明に係る一実施形態のネットワークシステムの構成を示すブロック図である。
【図２Ａ】同実施形態において、プリント媒体に絵画調画像データとマーカーがプリントされている状態を示す図である。
【図２Ｂ】同実施形態において、プリント媒体にプリントされたマーカーを端末により読み取る状態を説明するための図である。
【図３】同実施形態において、サーバーの構成を示すブロック図である。
【図４】（Ａ）は同実施形態において、写真のプリントを発注した場合の流れを説明するためのフローチャートであり、（Ｂ）は同実施形態において、プリント媒体にプリントされたマーカーを端末で読み取った場合の流れを説明するためのフローチャートである。
【図５】同実施形態において、絵画変換処理を説明するためのフローチャートである。
【図６】同実施形態において、複数種類の絵画調画像データを端末に表示している状態を示す図である。
【図７】同実施形態において、操作メニューを端末に表示している状態を示す図である。
【図８】同実施形態において、端末の構成を示す機能ブロック図である。
【発明を実施するための形態】
【００１６】
図１は、本発明に係る一実施形態のネットワークシステムの構成を示すブロック図である。１−１、１−２、１−３、・・・はパーソナルコンピュータ（ＰＣ）やスマートフォン、携帯電話、情報端末などのいわゆる端末であり、インターネット５００を介して画像サービスサイト１０と接続可能である。
【００１７】
画像サービスサイト１０は、ユーザーからアップロードされたオリジナル画像データを絵画調の画調からなる絵画調画像データに変換（絵画変換）するサービス、ユーザーから絵画変換された絵画調画像データのプリントの注文を受けてプリント媒体にプリントするサービスや、ユーザーから投稿された写真や絵画調画像データを公開するサービス等を行うウエブサイトである。
【００１８】
この画像サービスサイト１０は、サーバー１１を有し、上記画像データを絵画調の画調からなる絵画調画像データに変換するサービスを含む各種サービスに係る処理を行うとともに、プリント装置１２を有し、ユーザーから注文を受けた絵画調画像データのプリントを行う。プリント装置１２は、は画像サービスサイト１０の中にある必要はなく、他のプリントサイトに委託するものも含む。
【００１９】
図２Ａは、ユーザーから注文を受けた写真のプリントについて説明するもので、紙や印画紙等のプリント媒体２０に絵画調画像データ３２をプリントし、その端にＱＲコード（登録商標）等からなるマーカー２２をプリントする。
【００２０】
そして図２Ｂに示すように、端末１−１の裏面にある図示しないカメラでマーカー２２を読み取る。マーカー２２は画像サービスサイト１０のサーバー１１のＵＲＬアドレスを示しているため、端末１−１は画像サービスサイト１０に接続して、オリジナル画像データを、サーバー１１から端末１−１にダウンロードする。そして、表示部３１にオリジナル画像データ２１を表示することができる。
【００２１】
図３はサーバー１１の構成を示すブロック図であり、１３はユーザーがアップロードした写真（オリジナル画像データ）を記憶するためのオリジナル画像データ記憶部、１４はオリジナル画像データを絵画調の画像に変換した絵画調画像データが記憶される絵画調画像データ記憶部、１５はサーバー１１と端末１−１のリンクを制御するためのリンク制御プログラムが記憶されているリンク制御プログラム記憶部、１６は、絵画変換のアルゴリズムに沿って絵画変換処理を実行する絵画変換プログラム及び絵画変換に必要なエフェクト処理のためのパラメータが記憶されている絵画変換プログラム記憶部、１７は、注文を受けた絵画変換した絵画調画像データと、そのオリジナル画像データを記憶している場所を示すマーカーとともにプリントさせるためのプリント制御プログラムが記憶されているプリント制御プログラム記憶部である。
【００２２】
ここで、絵画変換プログラムで絵画変換処理が可能な絵画調の画調の種類としては、油絵画調、水彩画調、パステル画調、色鉛筆画調、ゴシック画調、エアブラシ画調、野獣派画調、ししゅう画調、イラスト画調、淡い水彩画調、クレヨン画調、ガッシュ画調、シルクスクリーン画調、コラージュ画調、ドローイング画調、重厚な油彩画調、の１６種類が用意されている。
【００２３】
１３Ａはオリジナル画像データ記憶部１３のスタートアドレスであり、１５Ａはリンク制御プログラム記憶部１５のスタートアドレスであり、１４Ａは絵画調画像データ記憶部１４のスタートアドレスである。このスタートアドレスを指定することにより、オリジナル画像データや各種リンク制御プログラム、各種絵画調画像データを指定する。
【００２４】
図４（Ａ）は、写真のプリントを発注した場合の流れを説明するためのフローチャートである。手順に沿って説明しているので、端末１−１によって行われる処理とサーバー１１によって行われる処理が１つのフローチャートに記載してある。
【００２５】
まずユーザーは、写真をインターネット経由で画像サービスサイト１０にプリント発注したい場合、端末１−１からサーバー１１へオリジナル画像のアップロードを行う（ステップＳ４０１）。その際、プリント枚数やプリントサイズ等の指定もする。
【００２６】
サーバー１１側では、アップロードされたオリジナル画像データをオリジナル画像データ記憶部１３に記憶する（ステップＳ４０２）。そしてステップＳ４０３でそのオリジナル画像データに対し絵画変換プログラムにより絵画変換処理を行う。画調の種類は、上述したとおり１６種類あるが、ここでは１６種類すべてを作成して絵画調画像データ記憶部１４に記憶するものとする（ステップＳ４０４）。画調の種類の指定を受けてから、その指定された画調の絵画調画像データに変換することもできる。
【００２７】
続いて、オリジナル画像データ記憶部１３の先頭アドレス１３Ａ、すなわちオリジナル画像データが記憶されている場所を示すマーカーを作成する（ステップＳ４０５）。マーカーは例えばＱＲコード（登録商標）である。
【００２８】
続いて、ステップＳ４０６でこの作成したマーカー２２と絵画調画像データ３２とを同じプリント媒体２０にプリントする。これは画像サービスサイト１０内で行ってもよいし、別のプリントサーバーやプリント業者に対してプリント指示を行ってもよい。
そして、その絵画調画像データ３２とマーカー２２の両方がプリントされたプリント媒体２０を画像サービスサイト１０から、あるいは委託を受けたプリント業者からユーザーに郵送する（ステップＳ４０７）。
【００２９】
図４（Ｂ）はユーザーの端末１−１側の操作手順を示すフローチャートである。端末１−１に備えられている図示しないカメラ（後述する図８の８１）でプリント媒体２０にプリントされているマーカー２２を撮影する（ステップＳ４１１）。そうすると、端末１−１はマーカー２２を認識し、そのマーカー２２の指定しているサーバー１１のリンク先、すなわちオリジナル画像データの記憶されている場所に自動的に接続する（ステップＳ４１２）。この際、一旦リンク先のＵＲＬアドレスを表示してクリックを要求するかどうかは設計事項なので、本実施形態では直接オリジナル画像データの記憶されている場所のアドレス１３Ａに接続するものとする。そしてその場所に記憶されているオリジナル画像データを端末１−１にダウンロードして（ステップＳ４１３）、オリジナル画像データ２１を表示部３１に表示する（ステップＳ４１４）。
【００３０】
このようにすることによって、ユーザーは端末１−１をプリント媒体２０上にかざすだけで、絵画調画像データの元の写真２１を見ることができる。
【００３１】
図５は、絵画変換プログラム記憶部１６に記憶されている絵画変換プログラムによる絵画変換処理を示すフローチャートである。
まず前処理を行う（ステップＳ５０２）。ここは画調の種類にかかわらず共通して実行される処理で、絵画変換処理は画像データがビットマップ形式である必要があるので、ＪＰＥＧ形式で表現されている画像データをビットマップ形式に変換する。また、フィルタをかけてノイズ除去を行う。
【００３２】
続いて、画調選択処理を行う（ステップＳ５０４）。
画調が選択されると、それぞれの画調変換アルゴリズムのステップへ移る。例えば油絵調変換であればステップＳ５０６へ、水彩画調変換であればステップＳ５１０へ進む。それ以外であればその他の画調変換アルゴリズムのステップへと進む（ステップＳ５２０）。
なお、絵画変換処理の各アルゴリズムを実行する際は、変換に必要なエフェクト処理のための各種パラメータを取得する（ステップＳ５０８、ステップＳ５１２）。パラメータは絵画変換プログラム記憶部１６内に有している。パラメータとは画素にエフェクト処理をかけるための要素である。すなわち、画素は一般的にＲＧＢ各複数ビットの階調で表現されるが、そのビットデータに演算をかけるための要素である。
【００３３】
エフェクト処理はフォトレタッチソフトなどで採用されているエフェクト処理と基本的には同じ作用を得るものである。
また、エフェクト処理の一種として、ＨＤＲ（High Dynamic Range）と呼ばれる通常の写真では表現できない広いダイナミックレンジの写真を、トーンマッピングにより狭いダイナミックレンジ幅内に入れ込むことで露出過多の白飛びや露出不足の黒つぶれを補正して表現力を増大するエフェクト処理もある。このエフェクト処理を応用して写真を人の脳が受けた記憶や印象に近づけ、芸術的な表現を加味した新しい写真表現を実現した画像を得ることもできる。ＨＤＲ変換も絵画変換の一種である。
【００３４】
そしてステップＳ５２２、ステップＳ５０４を経由して上述した１６種類の絵画変換処理を行う。
なお、１６種類の絵画変換処理は端末１−１の表示部３１で見ることを想定しているので、それほど大きい画像は必要なく、例えばオリジナル画像データを８００×６００画素程度にリサイズしたリサイズ画像データに対して処理を実施している。オリジナル画像データは一般的に４０００×３０００程度の非常に大きなものである。そこで、プリント発注等の特定の画調の決定が行われると（ステップＳ５２２）、ステップＳ５２４に進み、オリジナル画像データについて絵画変換処理を行う（ステップＳ５２４）。この際、必要なパラメータを取得する（ステップＳ５２６）のは同様である。ただし、同じ画像に対して同じ画調で絵画変換する場合でも、元画像のサイズやプリントサイズが変わると適切なパラメータも変わってくるので、ステップＳ５０８、ステップＳ５１２で取得するパラメータとステップＳ５２６で取得するパラメータは異なってくる。
【００３５】
しかる後、絵画変換後の絵画調画像データを再びＪＰＥＧ形式に変換する後処理を行う（ステップＳ５２８）。
オリジナル画像データの絵画変換が必要ない場合は、ステップＳ５２４、ステップＳ５２６はスキップして良い。
【００３６】
図６は本実施形態において、端末１−１の表示部３１に複数種類の絵画調画像データを表示する状態を示すものである。すなわち、端末１−１の表示部３１に１６種類の絵画調画像データの縮小画像４１ａ、４２ｂ、・・・を一覧表示している（符号４１）。４１ａは油絵画調、４１ｂは水彩画調、４１ｃはパステル画調、４１ｄは色鉛筆画調、４１ｅはゴシック画調、・・・に変換された絵画調画像データを示している。
端末１−１の表示部３１はタッチパネルを有しており、いずれかの縮小画像４１ａ、４１ｂ、・・・をタッチするとその画像が拡大表示されて図７に示すような操作メニュー表示が出てくる。
【００３７】
図７において３２は選択された画調の絵画調画像データであり、４２は操作メニューを表示しているものである。
端末１−１の表示ブラウザは例えばＨＴＭＬ５若しくはＣＳＳ３（スタイルシート）等を使用して構成されており、機種に依存しない互換性のあるもので、サーバー１１のリンク制御プログラム記憶部１６に記憶されたリンク制御プログラムと連携を取ることができる。
すなわち、端末１−１の表示部３１のタッチパネル上で、操作メニュー４２のいずれかのメニューを操作すると、その操作信号を、インターネット５００を介してサーバー１１に送信し、対応するリンク制御プログラム記憶部１６のアドレス１６Ａへ飛び、サーバー１１のリンク制御プログラムがそれに対応した処理を実行する。
【００３８】
図８は端末１−１の構成を示す説明するための機能ブロック図である。この構成により図７に示す表示を実現している。
８１は図２Ｂでは図示していない裏面に設置されたカメラであり、マーカー２２を読み取るためのものである。
８２は送信部であり、マーカー２２を読み取ってサーバー１１のリンク先へアクセスし、オリジナル画像データをサーバー１１にアップロードするために機能する。
８３は受信部であり、サーバー１１から送信されてくる制御データや、オリジナル画像データ、絵画調画像データを受信するために機能する。
８４は表示制御部であり、表示部３１の表示を制御するものであり、操作メニュー４２をメニュー表示制御部８５の制御により表示部３１に表示させたり、絵画調画像データ表示制御部８６の制御により、操作メニュー４２の操作に応じて所定の画調の絵画調画像データを表示部３１に表示させたりするために機能する。
８７は端末側リンク制御部であり、サーバー１１のリンク制御プログラム記憶部１６に記憶されたリンク制御プログラムと連携を取るために機能する。連携を取るために送信部８２及び受信部８３により端末１−１とサーバー１１の間で各種制御信号の送受が行われる。
８８は操作制御部であり、タッチパネルの制御を行い、操作メニュー４２の操作を受けて操作信号を出力するために機能する。
【００３９】
図７において、絵画調画像データ３２が表示されている状態で操作メニュー表示４２の「次へ」キーまたは「戻る」キーを押すと、図６で一覧表示された種類の画調の絵画調画像データを１枚ずつ順送りまたは逆送りされて表示される。表示部３１のタッチパネルの絵画調画像データ３２の部分にタッチしてページ送りする（スワイプする）ことも可能である。
「一覧表示」キーを押すと図６に示す一覧表示状態となる。
「拡大表示」キーを押すと現在表示されている表示が拡大され、画像の細部を見ることができる。前述したとおり端末１−１の表示部３１の画素数は８００×６００画素程度であり、実際の画像データは４０００×３０００画素程度あるので、拡大することによってより実物に近い画像の細部を確認することができる。
【００４０】
また、絵画調画像データをプリント発注したい場合は、「サイズ指定」キーでプリントサイズを選び、「額縁指定」キーで額縁の有無や種類を選び、「媒体指定」キーでプリント媒体としてキャンバス地、マグカップ、Ｔシャツ、・・・等を選択する。最終的に「プリント注文」キーを押すことで発注される。
もちろん、１つの操作キーを押すとサブメニューを表示させることができるようになっている。
【００４１】
以上の操作は画像サービスサイト１０を特に意識することなく絵画調画像データの選択、表示、プリント注文等ができるが、「トップページ」キーを操作することにより、画像サービスサイト１０のトップページを表示部３１に表示する。そしてプリント注文に限らず、他のユーザーの投稿した写真を閲覧したり、自分の写真を投稿したりすることができる。
この場合、端末１−１がパーソナルコンピュータやスマートフォンの場合は画像サービスサイト１０の通常のホームページが表示されるが、携帯電話の場合は携帯電話専用のモバイルページへ飛ぶようにしてもよい。
【００４２】
以上説明したように、ユーザーは簡単な操作で、プリントされた絵画調画像データの元画像の様子をその場で見ることができる。また、色々な画調に絵画変換された画像を確認して、気に入った画調の絵画調画像データのプリントを発注することができる。更に、マグカップやＴシャツなどのプリント媒体を選んだり、額縁を選んだりすることができる。
ユーザーがプリントを注文した絵画調画像データに「おまけ」としてついてくるマーカーを読み取るだけで元画像を見ることができるので、簡単である。その際に画像サービスサイトとの連携が発生するので、副次的な効果としてウエブサイトへのアクセス機会が増大し、当該ウエブサイトへの誘導、認知度向上が期待できる。
【００４３】
なお、上記実施形態では、マーカーとしてＱＲコード（登録商標）を使用したが、これに限ることなく、二次元バーコードや一次元バーコードでもよく、写真２１上に目に見えない形式で埋め込むように構成することもできる。
また、図７では画像データの表示と操作メニュー表示を同時に行っている例を示したが、全面操作メニュー表示にしてもよいことは勿論である。
また、端末１−１とサーバー１１の連携についてはサーバー１１のリンク制御プログラムが制御するようにしてサーバー主体で動作するようにしているが、アプリケーションプログラムを端末１−１にダウンロードしてインストールし、端末主体で動作するようにしてもよい。
【００４４】
以下に、本発明の特許請求の範囲に記載された発明を付記する。
［請求項１］
端末とネットワークを介して接続可能なサーバーを有し、画像をプリントさせ、表示させる画像処理方式であって、
前記サーバーは、
端末からアップロードされたオリジナル画像データを所定の場所に記憶する第１の記憶手段と、
前記第１の記憶手段に記憶されたオリジナル画像データを絵画調の画調を有する絵画調画像データに変換する画調変換手段と、
前記画調変換手段により変換された絵画調画像データを所定の場所に記憶する第２の記憶手段と、
前記絵画調画像データを、前記オリジナル画像データの記憶された場所を示すマーカーとともにプリント媒体にプリントさせるプリント制御手段と、
を含み、
前記端末は、
前記オリジナル画像データを前記サーバーにアップロードするアップロード手段と、
前記プリント媒体にプリントされたマーカーを読み取り、該マーカーが示す場所に記憶されているオリジナル画像データをダウンロードして表示部に表示させる表示制御手段と、
を含むことを特徴とする画像処理方式。
［請求項２］
前記サーバーの画調変換手段は複数種類の絵画調の画調を有する絵画調画像データに変換するものであり、
前記端末の表示制御手段は、前記サーバーの画調変換手段により前記オリジナル画像データから変換された複数種類の絵画調の画像をダウンロードして表示部に一覧表示させることを特徴とする請求項１記載の画像処理方式。
［請求項３］
前記マーカーは二次元バーコードで構成されることを特徴とする請求項１記載の画像処理方式。
［請求項４］
オリジナル画像データを所定の場所に記憶する第１の記憶手段と、
前記第１の記憶手段に記憶されたオリジナル画像データを絵画調の画調からなる絵画調画像データに変換する画調変換手段と、
前記画調変換手段により変換された絵画調画像データを所定の場所に記憶する第２の記憶手段と、
前記絵画調画像データを前記オリジナル画像データの記憶された場所を示すマーカーとともにプリント媒体にプリントさせるプリント制御手段と、
を有することを特徴とする画像処理装置。
［請求項５］
絵画調の画調を有する絵画調画像データをプリントする方法であって、
オリジナル画像データを、ネットワークを介して接続可能な端末から受信する工程と、
受信したオリジナル画像データを所定の場所に記憶するとともに絵画調の画調を有する絵画調画像データに変換する工程と、
変換された絵画調画像データを所定の場所に記憶する工程と、
絵画調の画調の種類を指定する情報を前記端末から受信する工程と、
前記絵画調画像データを、前記指定されたオリジナル画像データを記憶している場所を示すマーカーとともにプリント媒体にプリントさせる工程と、
を含むことを特徴とするプリント方法。
［請求項６］
請求項５記載のプリント方法によりプリントされたことを特徴とするプリント媒体。
［請求項７］
コンピュータにより読み取り実行可能なプログラムであって、前記コンピュータに、
オリジナル画像データを所定の場所に記憶するとともに絵画調の画調を有する絵画調画像データに変換するステップと、
前記変換された絵画調画像データを所定の場所に記憶するステップと、
前記オリジナル画像データが記憶された場所を示すマーカーを作成するステップと、
前記絵画調画像データを、前記作成されたマーカーとともにプリント媒体にプリントさせるステップと、
を実行させることを特徴とするプログラム。
［請求項８］
端末とネットワークを介して接続可能なサーバーを含む画像処理システムであって、
前記サーバーは、
端末からアップロードされたオリジナル画像データを所定の場所に記憶する第１の記憶手段と、
前記第１の記憶手段に記憶されたオリジナル画像データを複数種類の絵画調の画調を有する絵画調画像データに変換する画調変換手段と、
前記画調変換手段により変換された絵画調画像データを所定の場所に記憶する第２の記憶手段と、
前記絵画調画像データを、前記オリジナル画像データの記憶された場所を示すマーカーとともにプリント媒体にプリントさせるプリント制御手段と、
端末に操作メニューを表示させるための制御データを送信する送信制御手段と、
前記端末に表示された操作メニューの該端末の操作により、該端末から送信されてくる操作信号を受信し、該操作信号に応じた制御を行う操作制御手段と、
前記端末からのアクセスを受けて該端末とサーバーのリンクを制御するサーバー側リンク制御手段と、
を備え、
前記端末は、
前記オリジナル画像データを前記サーバーにアップロードするアップロード手段と、
前記プリント媒体にプリントされたマーカーを読み取り、前記サーバーにアクセスし該マーカーが示す場所に記憶されているオリジナル画像データをダウンロードして表示部に表示させる表示制御手段と、
前記マーカーを読み取り前記サーバーにアクセスすることにより該端末とサーバーのリンクを制御する端末側リンク制御手段と、
を備えるとともに、
前記表示制御手段は、前記サーバーから送信される制御データ及び前記サーバー側リンク制御手段及び端末側リンク制御手段の制御に従って表示部に操作メニューを表示させるメニュー表示制御手段と、
前記操作メニューが操作されたとき操作信号を前記サーバーに送信する送信手段と、
を有することを特徴とする画像処理システム。
［請求項９］
表示部を備えた画像処理装置であって、
プリント媒体にプリントされたマーカーを読み取り、ネットワークを介してサーバーの該マーカーが示す場所にアクセスしてオリジナル画像データをダウンロードして前記表示部に表示させる表示制御手段と、
前記マーカーを読み取り前記サーバーにアクセスすることにより該端末とサーバーのリンクを制御するリンク制御手段と、
前記表示部に、前記サーバーから送信される制御データ及び前記リンク制御手段の制御に従って前記オリジナル画像データを複数種類の絵画調の画調を有する絵画調画像データに変換させるための操作メニューを表示させるメニュー表示制御手段と、
前記操作メニューが操作されたとき操作信号を前記サーバーに送信する送信手段と、
前記操作信号に応じて前記サーバーから絵画調画像データを受信して前記表示部に表示させる絵画調画像データ表示制御手段と、
を有することを特徴とする画像処理装置。
【符号の説明】
【００４５】
１−１、１−２、１−３、・・・  端末
１０    画像サービスサイト
１１    サーバー
１２    プリント装置
１３    オリジナル画像データ記憶部
１３Ａ  オリジナル画像データのアドレス
１４    絵画調画像データ記憶部
１４Ａ  絵画調画像データのアドレス
１５    リンク制御プログラム記憶部
１５Ａ  リンク制御プログラムのアドレス
１６    絵画変換プログラム記憶部
１７    プリント制御プログラム記憶部
２０    プリント媒体
２１    写真
２２    マーカー
３１    表示部
３２    絵画調画像データ
４１    一覧表示
４１ａ、４１ｂ、・・・  縮小画像
４２    操作メニュー
８１    カメラ
８２    送信部
８３    受信部
８４    表示制御部
８５    メニュー表示制御部
８６    絵画調画像データ表示制御部
８７    リンク制御部
８８    操作制御部
５００  インターネット
【図１】
2013073461.tif 000003
【図２Ａ】
2013073461.tif 000004
【図２Ｂ】
2013073461.tif 000005
【図３】
2013073461.tif 000006
【図４】
2013073461.tif 000007
【図５】
2013073461.tif 000008
【図６】
2013073461.tif 000009
【図７】
2013073461.tif 000010
【図８】
2013073461.tif 000011